【手続補正書】
【提出日】平成22年5月21日(2010.5.21)
【手続補正１】
【補正対象書類名】特許請求の範囲
【補正対象項目名】全文
【補正方法】変更
【補正の内容】
【特許請求の範囲】
【請求項１】
シート状物を処理するシート状物処理装置と、このシート状物処理装置に前記シート状物を供給するシート状物供給装置と、前記シート状物処理装置を駆動する第１のモータと、前記シート状物供給装置を駆動する第２のモータとを備えたシート状物処理機の駆動制御方法であって、
前記シート状物処理装置に対して前記第２のモータを同期運転させる同期運転ステップと、
前記シート状物処理装置と前記第２のモータの回転位相を相対的に調整する回転位相調整ステップと
を備えることを特徴とするシート状物処理機の駆動制御方法。
【請求項２】
請求項１に記載されたシート状物処理機の駆動制御方法において、
前記回転位相調整ステップは、前記シート状物処理装置の回転位相に対する前記第２のモータの回転位相を調整する
ことを特徴とするシート状物処理機の駆動制御方法。
【請求項３】
請求項２に記載されたシート状物処理機の駆動制御方法において、
前記回転位相調整ステップでの前記シート状物処理装置の回転位相に対する前記第２のモータの回転位相の調整量を前記第１のモータの回転速度に応じて求めるステップ
を備えることを特徴とするシート状物処理機の駆動制御方法。
【請求項４】
請求項２に記載されたシート状物処理機の駆動制御方法において、
前記回転位相調整ステップでの前記シート状物処理装置の回転位相に対する前記第２のモータの回転位相の調整量を前記シート状物の種類に応じて求めるステップ
を備えることを特徴とするシート状物処理機の駆動制御方法。
【請求項５】
請求項２に記載されたシート状物処理機の駆動制御方法において、
前記回転位相調整ステップでの前記シート状物処理装置の回転位相に対する前記第２のモータの回転位相の調整量を前記シート状物の大きさに応じて求めるステップ
を備えることを特徴とするシート状物処理機の駆動制御方法。
【請求項６】
請求項２に記載されたシート状物処理機の駆動制御方法において、
前記回転位相調整ステップでの前記シート状物処理装置の回転位相に対する前記第２のモータの回転位相の調整量を前記シート状物の厚さに応じて求めるステップ
を備えることを特徴とするシート状物処理機の駆動制御方法。
【請求項７】
シート状物を処理するシート状物処理装置と、このシート状物処理装置に前記シート状物を供給するシート状物供給装置と、前記シート状物処理装置を駆動する第１のモータと、前記シート状物供給装置を駆動する第２のモータとを備えたシート状物処理機の駆動制御装置であって、
前記シート状物処理装置に対して前記第２のモータを同期運転させる同期運転手段と、
前記シート状物処理装置と前記第２のモータの回転位相を相対的に調整する回転位相調整手段と
を備えることを特徴とするシート状物処理機の駆動制御装置。
【請求項８】
請求項７に記載されたシート状物処理機の駆動制御装置において、
前記回転位相調整手段は、前記シート状物処理装置の回転位相に対する前記第２のモータの回転位相を調整する
ことを特徴とするシート状物処理機の駆動制御装置。
【請求項９】
請求項８に記載されたシート状物処理機の駆動制御装置において、
前記回転位相調整手段での前記シート状物処理装置の回転位相に対する前記第２のモータの回転位相の調整量を前記第１のモータの回転速度に応じて求める手段
を備えることを特徴とするシート状物処理機の駆動制御装置。
【請求項１０】
請求項８に記載されたシート状物処理機の駆動制御装置において、
前記回転位相調整手段での前記シート状物処理装置の回転位相に対する前記第２のモータの回転位相の調整量を前記シート状物の種類に応じて求める手段
を備えることを特徴とするシート状物処理機の駆動制御装置。
【請求項１１】
請求項８に記載されたシート状物処理機の駆動制御装置において、
前記回転位相調整手段での前記シート状物処理装置の回転位相に対する前記第２のモータの回転位相の調整量を前記シート状物の大きさに応じて求める手段
を備えることを特徴とするシート状物処理機の駆動制御装置。
【請求項１２】
請求項８に記載されたシート状物処理機の駆動制御装置において、
前記回転位相調整手段での前記シート状物処理装置の回転位相に対する前記第２のモータの回転位相の調整量を前記シート状物の厚さに応じて求める手段
を備えることを特徴とするシート状物処理機の駆動制御装置。
【請求項１３】
請求項７に記載されたシート状物処理機の駆動制御装置において、
前記同期運転手段は、
所定時間の間隔で前記シート状物処理装置の回転位相を検出する回転位相検出手段と、
前記回転位相検出手段により回転位相が検出される毎に、検出された回転位相に基づいて前記第２のモータに回転速度を指示する回転速度指示手段とを備え、
前記回転速度指示手段は、
前記回転位相検出手段により検出された回転位相に基づいて、回転位相が検出されてから所定時間経過したときの前記シート状物処理装置の回転位相を算出する回転位相算出手段と、
前記回転位相検出手段により検出された回転位相および前記回転位相算出手段により算出された回転位相のそれぞれを前記第２のモータの回転位相に換算する回転位相換算手段と、
前記回転位相換算手段により換算された２つの回転位相と所定時間とから前記第２のモータの回転速度を算出する回転速度算出手段と
を備えることを特徴とするシート状物処理機の駆動制御装置。
【請求項１４】
請求項１３に記載されたシート状物処理機の駆動制御装置において、
前記回転速度指示手段は、
シートの送り始めと終わりで前記第２のモータの回転位相の変化が小さくなることにより曲線状の特性となる、前記シート状物処理装置の回転位相と前記第２のモータの回転位相との関係を示すテーブルを記憶するテーブル記憶手段をさらに備え、
前記回転位相換算手段は、
前記テーブル記憶手段に記憶されたテーブルを参照して、前記回転位相検出手段により検出された回転位相および前記回転位相算出手段により算出された回転位相のそれぞれを前記第２のモータの回転位相に換算する
ことを特徴とするシート状物処理機の駆動制御装置。
【手続補正２】
【補正対象書類名】明細書
【補正対象項目名】００８５
【補正方法】変更
【補正の内容】
【００８５】
〔減速〕
オフセット枚葉印刷機の設定回転速度ＶＰＳが変更されるなどして、オフセット枚葉印刷機の前回の指令回転速度ＶＰＣold がオフセット枚葉印刷機の設定回転速度ＶＰＳを超えると（図２３：ステップＳ１４０のＮＯ）、ＣＰＵ１は、メモリＭ３５から減速時の回転速度修正値Δβを読み出す（ステップＳ１４３）。そして、前回の指令回転速度ＶＰＣold から減速時の回転速度修正値Δβを減算し、この減算結果を修正した指令回転速度ＶＰＣnew としてメモリＭ３６に書き込む（ステップＳ１４４ａ）。そして、オフセット枚葉印刷機の設定回転速度ＶＰＳをメモリＭ１５から読み出し（ステップＳ１４４ｂ）、修正した指令回転速度ＶＰＣnew が設定回転速度ＶＰＳよりも小さければ（ステップＳ１４５のＹＥＳ）、その修正した指令回転速度ＶＰＣnew をオフセット枚葉印刷機の設定回転速度ＶＰＳに書き換える（ステップＳ１４６）。そして、ステップＳ１４７へ進み、メモリＭ１６内の指令回転速度ＶＰＣを修正した指令回転速度ＶＰＣnew に書き換える。
【手続補正３】
【補正対象書類名】明細書
【補正対象項目名】０１０８
【補正方法】変更
【補正の内容】
【０１０８】
〔フィーダの単独運転〕
フィーダの駆動制御装置２００のＣＰＵ５１は、フィーダ用回転速度設定器５９よりフィーダの回転速度ＶＦが入力されると（図５０：ステップＳ４６８のＹＥＳ）、このフィーダの回転速度ＶＦを設定回転速度ＶＦＳとしてメモリＭ６１に格納する（ステップＳ４６９）。
【手続補正４】
【補正対象書類名】図面
【補正対象項目名】図２３
【補正方法】変更
【補正の内容】
【図２３】
2009034948.tif 000001